【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
搬送機構によって搬送される被検査物にＸ線を照射するＸ線照射部と、前記被検査物を透過したＸ線を検知するＸ線検知部と、前記Ｘ線照射部と前記Ｘ線検知部とを覆う本体カバー部とを備え、この本体カバー部に設けられる一対の開口部を通じて本体カバー部内に搬入される被検査物を検査するＸ線検査装置であって、前記本体カバー部内の中央搬送機構の搬送上流側に供給側搬送機構を設け、この中央搬送機構の搬送下流側に排出側搬送機構を設け、この供給側搬送機構及び排出側搬送機構に前記被検査物が通過可能な一対の開口部を有する供給側カバー部及び排出側カバー部を夫々設け、前記本体カバー部、前記供給側カバー部及び前記排出側カバー部の各開口部に開閉自在にＸ線遮蔽体を夫々設け、前記Ｘ線検知部で検知したＸ線に基づいて作成される画像を表示する画像表示手段を備え、前記Ｘ線照射後に前記中央搬送機構および前記排出側搬送機構により前記排出側カバー部内に搬送された前記被検査物を前記排出側カバー部内から排出する排出作動信号が入力された際、前記排出側搬送機構により前記排出側カバー部内の当該被検査物を搬送排出すると共に、当該被検査物の前記画像を前記画像表示手段に表示する連動制御機構を備えたことを特徴とするＸ線検査装置。
【請求項２】
前記Ｘ線遮蔽体の開閉状態を検知する開閉検知センサを設け、この開閉検知センサにより検知した開閉情報が、前記本体カバー部の搬送上流側の開口部及び前記供給側カバー部の開口部のいずれか１つ及び前記本体カバー部の搬送下流側の開口部及び前記排出側カバー部の開口部のいずれか１つが閉状態である場合のみ、前記Ｘ線照射部によるＸ線照射を許容するＸ線照射制御機構を設け、前記被検査物の位置を検知する位置検知センサを設け、前記位置検知センサによる前記被検査物の検知情報をもとに前記中央搬送機構の搬送速度を制御する搬送速度制御機構を設けたことを特徴とする請求項１記載のＸ線検査装置。
【請求項３】
前記供給側搬送機構及び前記排出側搬送機構は前記中央搬送機構に着脱自在に設け、前記供給側カバー及び前記排出側カバーが外されたことを検知してＸ線の照射を制御する検知制御機構を設けたことを特徴とする請求項１，２のいずれか１項に記載のＸ線検査装置。
【請求項４】
前記供給側搬送機構へ被検査物の投入を許可することを表示する投入許可表示手段を設け、前記Ｘ線照射後の前記被検査物を排出する排出作動信号が入力された際、前記投入許可表示手段を作動させるように前記連動制御機構を構成したことを特徴とする請求項１〜３のいずれか１項に記載のＸ線検査装置。
【請求項５】
前記供給側搬送機構に、前記被検査物が投入されたことを検知する投入検知部を設け、この供給側搬送機構の搬送上流側開口部に、前記被検査物の投入を妨害する誤投入防止手段を設け、この誤投入防止手段は、前記投入検知部で前記被検査物の投入を検知した際、後続の被検査物の投入を妨害するように構成したことを特徴とする請求項１〜４のいずれか１項に記載のＸ線検査装置。
【請求項６】
前記Ｘ線照射後の前記被検査物を排出する排出作動信号が入力された際、前記誤投入防止手段による投入妨害が解除されるように前記連動制御機構を構成したことを特徴とする請求項５記載のＸ線検査装置。
【請求項７】
前記供給側搬送機構の搬送速度を前記排出側搬送機構より低速に設定したことを特徴とする請求項１〜６のいずれか１項に記載のＸ線検査装置。
【請求項８】
前記搬送速度制御機構は、前記中央搬送機構の搬送速度を制御し、前記供給側搬送機構と同じ速度での搬送及び前記排出側搬送機構と同じ速度での搬送を可能とするように構成したことを特徴とする請求項７記載のＸ線検査装置。
【請求項９】
前記中央搬送機構、前記供給側搬送機構及び前記排出側搬送機構は、前記被検査物の搬送面が略水平で且つこの搬送面の高さが略同一となるように設定したことを特徴とする請求項１〜８のいずれか１項に記載のＸ線検査装置。
【請求項１０】
前記Ｘ線遮蔽体を、搬送される前記被検査物により搬送方向に押し上げ回動可能に軸支する軸支部を設けたことを特徴とする請求項１〜９のいずれか１項に記載のＸ線検査装置。
【請求項１１】
前記Ｘ線検知部としてエリアセンサを採用したことを特徴とする請求項１〜１０のいずれか１項に記載のＸ線検査装置。
【手続補正２】
【補正対象書類名】明細書
【補正対象項目名】０００８
【補正方法】変更
【補正の内容】
【０００８】
搬送機構によって搬送される被検査物１にＸ線を照射するＸ線照射部２と、前記被検査物１を透過したＸ線を検知するＸ線検知部３と、前記Ｘ線照射部２と前記Ｘ線検知部３とを覆う本体カバー部４とを備え、この本体カバー部４に設けられる一対の開口部８を通じて本体カバー部４内に搬入される被検査物１を検査するＸ線検査装置であって、前記本体カバー部４内の中央搬送機構５の搬送上流側に供給側搬送機構６を設け、この中央搬送機構５の搬送下流側に排出側搬送機構７を設け、この供給側搬送機構６及び排出側搬送機構７に前記被検査物１が通過可能な一対の開口部８を有する供給側カバー部10及び排出側カバー部11を夫々設け、前記本体カバー部４、前記供給側カバー部10及び前記排出側カバー部11の各開口部８に開閉自在にＸ線遮蔽体９を夫々設け、前記Ｘ線検知部３で検知したＸ線に基づいて作成される画像を表示する画像表示手段を備え、前記Ｘ線照射後に前記中央搬送機構５および前記排出側搬送機構７により前記排出側カバー部11内に搬送された前記被検査物１を前記排出側カバー部11内から排出する排出作動信号が入力された際、前記排出側搬送機構７により前記排出側カバー部11内の当該被検査物１を搬送排出すると共に、当該被検査物１の前記画像を前記画像表示手段に表示する連動制御機構を備えたことを特徴とするＸ線検査装置に係るものである。
【手続補正３】
【補正対象書類名】明細書
【補正対象項目名】０００９
【補正方法】変更
【補正の内容】
【０００９】
また、前記Ｘ線遮蔽体９の開閉状態を検知する開閉検知センサ12を設け、この開閉検知センサ12により検知した開閉情報が、前記本体カバー部４の搬送上流側の開口部８及び前記供給側カバー部10の開口部８のいずれか１つ及び前記本体カバー部４の搬送下流側の開口部８及び前記排出側カバー部11の開口部８のいずれか１つが閉状態である場合のみ、前記Ｘ線照射部２によるＸ線照射を許容するＸ線照射制御機構を設け、前記被検査物１の位置を検知する位置検知センサを設け、前記位置検知センサによる前記被検査物１の検知情報をもとに前記中央搬送機構５の搬送速度を制御する搬送速度制御機構を設けたことを特徴とする請求項１記載のＸ線検査装置に係るものである。
【手続補正４】
【補正対象書類名】明細書
【補正対象項目名】００１５
【補正方法】変更
【補正の内容】
【００１５】
また、前記搬送速度制御機構は、前記中央搬送機構５の搬送速度を制御し、前記供給側搬送機構６と同じ速度での搬送及び前記排出側搬送機構７と同じ速度での搬送を可能とするように構成したことを特徴とする請求項７記載のＸ線検査装置に係るものである。
【手続補正５】
【補正対象書類名】明細書
【補正対象項目名】００２７
【補正方法】変更
【補正の内容】
【００２７】
また、本実施例においては、前記Ｘ線遮蔽体９の開閉状態を検知する開閉検知センサ12を設け、この開閉検知センサ12により検知した開閉情報が、前記本体カバー部４の搬送上流側の開口部８及び前記供給側カバー部10の開口部８のいずれか１つ及び前記本体カバー部４の搬送下流側の開口部８及び前記排出側カバー部11の開口部８のいずれか１つが閉状態である場合のみ、前記Ｘ線照射部２によるＸ線照射を許容するＸ線照射制御機構を設け、前記被検査物１の位置を検知する位置検知センサを設け、前記位置検知センサによる前記被検査物１の検知情報をもとに前記中央搬送機構５の搬送速度を制御する搬送速度制御機構を設けている。